(57)【要約】【課題】機械室有り既設エレベーターを機械室無しエレベーターに容易に改修することができるエレベーター装置を得る。【解決手段】既設昇降路１上方の既設機械室２に既設巻上機を設置した機械室有り既設エレベーターを、機械室無しエレベーターに改修する工事において、かご等の重量を支持体４を介して既設機械室２の既設機械台３により支持する。このため、既設案内レールにかご等の重量による荷重が作用せず、既設案内レールを流用できて改修工事の資材、改修工数を節減し費用を低減する。また、既設機械室２の箱状構造体１２に更新巻上機８用の点検口１４を設けて既設機械室２からの保守作業能率を向上する。さらに、箱状構造体１２に物品の載置スペース１３を設けて既設機械室２を有効利用し、建物の利用効率を向上する。【選択図】        図１
2004196469.tif 000002
【特許請求の範囲】
【請求項１】
既設昇降路上方の既設機械室に設置された既設機械台、一端が上記既設機械台に連結されて下方に延在し上記既設機械室の床を貫通して、他端は上記既設昇降路内に配置された支持体と、この支持体に装着された更新巻上機と、この更新巻上機の駆動綱車に巻掛けられた主索と、上記既設機械室の床から立設されて上記既設機械台の側面及び上側を囲んで形成されて上面に物品の載置スペースを構成すると共に、上記上面における上記更新巻上機対応位置に点検口が設けられた箱状構造体と、この箱状構造体に設けられて上記点検口を開閉する点検扉とを備えたエレベーター装置。
【発明の詳細な説明】
【０００１】
【発明の属する技術分野】
この発明は、既設エレベーターを改修する工事において更新巻上機が既設昇降路内に設置されるエレベーター装置に関する。
【０００２】
【従来の技術】
エレベーター装置においては建物に形成された昇降路の上方に機械室が設けられる。そして、機械室に設置された機械台に巻上機が据付けられ、また巻上機の駆動綱車にかご等の昇降体を吊持した主索が巻掛けられる。これによって、機械室有りエレベーターが構成される。そして、巻上機が付勢されることにより主索を介して昇降体が昇降運転される。このような機械室有りエレベーターにおいて、巻上機、昇降体、昇降体内の負荷、主索の重量が機械台によって支持される。
【０００３】
そして、前述の機械室有りエレベーターを、巻上機が昇降路内に設置された、いわゆる機械室無しエレベーターに改修する場合があり、このときに従来の改修工事では、機械室無しエレベーターの更新巻上機を昇降路内に設置し、また昇降路内の上部に支持梁が配置されて滑車が枢着される。また、昇降体の昇降を案内する案内レールが昇降路に立設されて、この案内レールの上端によって昇降路内上部の支持梁が支持される。そして、昇降路を昇降する昇降体を吊持した主索が支持梁の滑車及び更新巻上機の駆動綱車に巻掛けられる。（例えば、特許文献１参照）。
【０００４】
【特許文献  １】
特開２００２−８０１７８号公報（第７頁、第１図）
【０００５】
【発明が解決しようとする課題】
機械室無しエレベーターの構成においては、案内レールの上端によって昇降路の上部に配置された支持梁を支持し、支持梁に枢着された滑車に作用する昇降体等の荷重が案内レールにより支持される。このため、以上説明した従来における機械室有り既設エレベーターを、機械室無しエレベーターに更新する改修工事を行う場合に、機械室有り既設エレベーターの既設案内レールでは強度が不足する。このため、既設案内レールを流用することができず、支持梁の支持が可能である強固な案内レールに更新する必要があり費用が嵩むという問題点があった。
【０００６】
この発明は、かかる問題点を解消するためになされたものであり、機械室有り既設エレベーターを機械室無しエレベーターに容易に改修することができるエレベーター装置を得ることを目的とする。
【０００７】
【課題を解決するための手段】
この発明に係るエレベーター装置においては、既設昇降路上方の既設機械室に設置された既設機械台、一端が既設機械台に連結されて下方に延在し既設機械室の床を貫通して、他端は既設昇降路内に配置された支持体と、この支持体に装着された更新巻上機と、この更新巻上機の駆動綱車に巻掛けられた主索と、既設機械室の床から立設されて既設機械台の側面及び上側を囲んで形成されて上面に物品の載置スペースを構成すると共に、上面における更新巻上機対応位置に点検口が設けられた箱状構造体と、この箱状構造体に設けられて点検口を開閉する点検扉とが設けられる。
【０００８】
【発明の実施の形態】
実施の形態１．
図１〜図５は、この発明の実施の形態の一例を示す図で、図１は昇降路上部を概念的に示す縦断面図、図２は図１の側面図、図３は図１において点検扉を開いた状態を示す図、図４は図１における箱状構造体の上に物品の載置した状態を示す図、図５は図４の平面図である。図において、建物に設けられた既設昇降路１の上方に既設機械室２が設けられ、また既設機械室２の床に既設機械台３が設けられている。
【０００９】
そして、既設機械室２から既設昇降路１内へ下垂状態に配置された次に述べる支持体４が設けられる。すなわち、支持体４は両側の既設機械台３に架橋状態に配置された横材５、上端が横材５に締結されて下方に延在し既設機械室２の床を貫通して下端側は既設昇降路１内に配置された縦材６及び縦材６の下端部に一側が締結されて水平方向に張り出した取付腕７によって構成されている。
【００１０】
また、更新巻上機８が支持体４の下部寄りに締結されて既設昇降路１内の上部に配置され、また支持体４の取付腕７にそらせ車１０が枢着されて更新巻上機８の駆動綱車９に隣接して配置される。そして、更新巻上機８の駆動綱車９及びそらせ車１０に主索１１が巻掛けられ、主索１１の一端に図示が省略してあるがエレベーターのかごが連結され、また他端につり合おもりが連結される。
【００１１】
そして、既設機械室２の床から箱状構造体１２が立設されて既設機械台３の側面及び上側を囲んで形成され、上面に後述する物品の載置スペース１３を構成すると共に、上面における更新巻上機対応位置に点検口１４が設けられる。また、箱状構造体１２に設けられて点検口１４を開閉する点検扉１５が設けられ、点検扉１５を施錠する錠１６が設けられる。なお、箱状構造体１２の載置スペース１３には例えばロッカーからなる物品１７が載置される。
【００１２】
上記のように構成されたエレベーター装置において、更新巻上機８が付勢されると駆動綱車９が回転し、主索１１を介してかご及びつり合おもりが互いに反対方向へ昇降する。そして、既設昇降路１上方の既設機械室２に巻上機（図示しない）が設置された機械室有り既設エレベーター（図示しない）を改修して、機械室無しエレベーターに更新した場合に、次に述べるようにかご等の重量が支持される。
【００１３】
すなわち、改修された機械室無しエレベーターにおいて、かご、かご内負荷、つり合おもり、主索１１、更新巻上機８、そらせ車１０及び支持体４の重量が支持体４を介して既設機械台３によって支持される。このため、既設案内レール（図示しない）にかご等の重量による荷重が作用することがない。したがって、既設案内レールを流用することができて改修工事に要する資材を節減し、また改修工事の手数を省くことができ改修工事の費用を低減することができる。
【００１４】
また、既設機械室２に箱状構造体１２が設けられて既設機械台３の側面及び上側を囲んで形成されて、箱状構造体１２の上面における更新巻上機対応位置に点検口１４が設けられ、点検口１４を開閉する点検扉１５が設けられる。これによって、既設機械室２内から更新巻上機８、そらせ車１０を容易に点検することができるので、エレベーターの保守作業能率を向上することができる。
【００１５】
また、箱状構造体１２の上面に物品１７の載置スペース１３が設けられるので、既設機械室２をトランクルーム等として有効に利用することができる。このため、機械室有り既設エレベーターを、機械室無しエレベーターに更新する改修工事を行うことによる建物の資産的価値向上と共に、既設機械室２を有効利用できて建物の利用効率を向上することができる。
【００１６】
【発明の効果】
この発明は以上説明したように、既設昇降路上方の既設機械室に設置された既設機械台、一端が既設機械台に連結されて下方に延在し既設機械室の床を貫通して、他端は既設昇降路内に配置された支持体と、この支持体に装着された更新巻上機と、この更新巻上機の駆動綱車に巻掛けられた主索と、既設機械室の床から立設されて既設機械台の側面及び上側を囲んで形成されて上面に物品の載置スペースを構成すると共に、上面における更新巻上機対応位置に点検口が設けられた箱状構造体と、この箱状構造体に設けられて点検口を開閉する点検扉とを設けたものである。
【００１７】
これによって、既設昇降路上方の機械室に巻上機が設置された機械室有り既設エレベーターを改修して、機械室無しエレベーターに更新した場合にかご等の重量が支持体を介して既設機械室に設置された既設機械台によって支持される。このため、既設案内レールに昇降体等の重量による荷重が作用することがない。したがって、既設案内レールを流用することができて改修工事の資材を節減し、また改修工事の手数を省くことができ改修工事の費用を低減する効果がある。また、既設機械室に形成された箱状構造体の上面における更新巻上機対応位置に点検口が設けられるので、既設機械室内から更新巻上機等を容易に点検することができエレベーターの保守作業能率を向上する効果がある。さらに、箱状構造体の上面に物品の載置スペースが設けられるので、既設機械室をトランクルーム等として有効に利用することができる。このため、機械室有り既設エレベーターを、機械室無しエレベーターに更新する改修工事を行うことによる建物の資産的価値を向上すると共に、既設機械室の有効利用により建物の利用効率を向上する効果がある。
【図面の簡単な説明】
【図１】この発明の実施の形態１を示す図で、昇降路上部を概念的に示す縦断面図。
【図２】図１の側面図。
【図３】図１において点検扉を開いた状態を示す図。
【図４】図１における箱状構造体の上に物品の載置した状態を示す図。
【図５】図４の平面図。
【符号の説明】
１  既設昇降路、２  既設機械室、３  既設機械台、４  支持体、８  更新巻上機、９  駆動綱車、１１  主索、１２  箱状構造体、１３  載置スペース、１４  点検口、１５  点検扉、１７  物品。
【図１】
2004196469.tif 000003
【図２】
2004196469.tif 000004
【図３】
2004196469.tif 000005
【図４】
2004196469.tif 000006
【図５】
2004196469.tif 000007